(57)【要約】【課題】  車両座席の背もたれの基本位置、容易出入り位置及び荷積み位置への選択的な移動を可能にする。【解決手段】  基本位置から背もたれ枠（３）が容易出入り位置へ前方揺動され、続いて解錠レバー（５）の戻しにより鎖錠され、続いて解錠レバー（５）の操作により解錠され、続いて荷積み位置へ前方揺動される。【選択図】  図１
2006142014.tif 000002
【特許請求の範囲】
【請求項１】
車両座席であって
座枠（２）、
座枠（２）に枢着されかつ係止装置（４）により鎖錠可能な背もたれ枠（３）、及び
解錠レバー（５）を介して揺動可能でありかつ背もたれ揺動軸線（Ａ）に沿って延びて係止装置（４）を釈放する解錠軸（６）を持ち、
係止装置（４）の釈放後背もたれ枠（３）が、直立基本位置と一部前方揺動される容易出入り位置と完全に前方揺動される荷積み位置との間で移動可能であるものにおいて、
背もたれ枠（３）が容易出入り位置へ前方揺動され、続いて解錠レバー（５）の戻しにより鎖錠され、続いて解錠レバー（５）の操作により解錠され、続いて荷積み位置へ前方揺動されることによってのみ、背もたれ枠（３）が基本位置から荷積み位置へ移動可能であり、
背もたれ枠（３）に、容易出入りストッパ（１２ｂ）を持つ制御カム（１２）が設けられ、
座枠（２）に、制御カム（１２）へ向かってばね予荷重をかけられる移動可能な鎖錠かぎ（１６）が設けられ、背もたれ枠（３）を容易出入り位置へ前方揺動する際、鎖錠かぎ（１６）が容易出入りストッパ（１２ｂ）へ達して、背もたれ枠（３）を容易出入り位置に拘束し、
解錠軸（６）に突き棒（９）が偏心して支持され、背もたれ枠（３）を基本位置から容易出入り位置へ前方揺動した後、突き棒（９）が、まず鎖錠かぎ（１６）を釈放しない不動作位置にあり、解錠レバー（５）の戻しとそれに続く操作後、鎖錠かぎ（１６）を釈放する動作位置にある
ことを特徴とする、車両座席。
【請求項２】
背もたれ枠（３）が、荷積み位置から、係止装置（４）の解錠後、直接基本位置へ戻り揺動可能であり、その際拘束かぎ（１６）が制御カム（１２）に沿ってころがるか滑りかつはね返ることを特徴とする、請求項１に記載の車両座席。
【請求項３】
鎖錠かぎ（１６）が座枠（２）に枢着され、かつ突起（１６ｃ）を持ち、突き棒（９）が動作位置でこの突起（１６ｃ）へ突き当たることを特徴とする、請求項１又は２に記載の車両座席。
【請求項４】
基本位置から容易出入り位置へ背もたれ枠（３）を前方揺動する際、突き棒（９）が突起（１６ｃ）へ達し、不動作位置になるまで突起（１６ｃ）に沿って滑ることを特徴とする、請求項３に記載の車両座席。
【請求項５】
突き棒（９）が、荷積み位置で、その下部当接範囲（９ｃ）を突起（１６ｃ）の所に保持され、鎖錠かぎ（１６）がストッパにより上部終端位置に保持されることを特徴とする、請求項１〜４の１つに記載の車両座席。
【請求項６】
突き棒（９）が、解錠レバー（５）の操作されない位置で、背もたれ側案内手段（１４）へ向かって予荷重をかけられていることを特徴とする、請求項１〜５の１つに記載の車両座席。
【請求項７】
背もたれ側案内手段（１４）が、背もたれ枠（３）から軸線方向に突出する案内ローラ（１４）であることを特徴とする、請求項６に記載の車両座席。
【請求項８】
横方向に延びて車両座席の両側に設けられる係止装置（４）を連結する結合管（８）上に、突き棒（９）が揺動可能に支持されていることを特徴とする、請求項１〜７の１つに記載の車両座席。
【請求項９】
座席の一方の側に、容易出入り位置及び荷積み位置を設定する容易出入り機構（２４）が設けられ、座席の他方の側に、容易出入り位置において車両座席（１）の縦方向鎖錠を解除する縦方向解錠装置が設けられていることを特徴とする、請求項８に記載の車両座席。
【発明の詳細な説明】
【技術分野】
【０００１】  本発明は、請求項１の上位概念に記載の車両座席に関する。
【背景技術】
【０００２】  国際公開第ＷＯ９９／３８７２３号から公知のこのような車両座席は、背もたれがほぼ直立している基本位置又は使用位置において、快適範囲内で傾斜移動可能であり、背もたれの係止装置の解錠後、容易出入り位置へ部分的に又は荷積み位置へ完全に前方揺動される。国際公開第ＷＯ９９／３８７２３号では、傾斜移動位置を釈放するため、第１及び第２のボーデンケーブルが設けられ、各ボーデンケーブルは、背もたれに設けられるハンドルを介してそれぞれ操作可能である。この場合第１のボーデンケーブルは、着座される車両座席の背もたれの傾斜移動に用いられ、第２のボーデンケーブルは容易出入り位置の設定に用いられ、このため解錠軸上に設けられる解錠レバー又は釈放レバーが揺動される。【０００３】  ドイツ連邦共和国特許出願公開第１９８８２４１３号及び第４２０１８２９号明細書も、容易出入り位置へ移行可能な自動車座席を示している。一般に後列への出入り通路を大きくできるようにするため、車両座席の縦方向鎖錠が同時に解除される。【０００４】  このような装置では、一般に異なる位置のために異なるハンドル又はレバーが設けられ、これが利用者に混乱を生じ、場合によっては車両座席の複雑な戻しをそのつど必要とする誤試みの原因となる。
【発明の開示】
【発明が解決しようとする課題】
【０００５】  本発明の基礎になっている課題は、３つの上記の位置への選択的な移動を可能にしかつ大した予備知識なしでも操作し易く利用者により利用可能な車両座席を提供することである。
【課題を解決するための手段】
【０００６】  この課題は、請求項１に記載の車両座席によって解決される。従属請求項は好ましい展開を記載している。【０００７】  従って本発明によれば、基本位置又は快適位置、容易出入り位置及び荷積み位置のために、係止装置を釈放し更に容易出入り位置及び荷積み位置の確実な設定を可能にするただ１つのレバーが設けられている。解錠レバーの第１の操作により快適移動が可能にされるので、背もたれを快適範囲内で揺動し、容易出入り位置まで前方へ揺動させることができる。この場合座枠と背もたれ枠との間に容易出入り機構が設けられて、操作される解錠レバーにおいてまず容易出入りストッパを備え、このストッパに移動可能な座枠側鎖錠かぎが係合するので、利用者は背もたれを大きすぎるほど前方揺動させることはできない。座席の他方の側に、座席の縦方向鎖錠を解除する別の連結手段を設けることができる。【０００８】  荷積み位置への移動のため、利用者は続いてまず解錠レバーを戻すか又は放さねばならない。なぜならば、座枠側鎖錠かぎの係合は、解錠レバーの再度の操作の際に初めて解除されるからである。荷積み位置から使用位置への戻しは、障害なしに一気に行うことができる。【０００９】  この機能を果たすため本発明によれば、背もたれの背もたれ枠に、容易立入りストッパを持つ制御カムが設けられ、座枠に枢着される鎖錠かぎがこのストッパに係合し、それによりそれ以上の前方揺動を阻止する。係止される鎖錠かぎは、本発明によれば、解錠レバーの操作の際、鎖錠された容易立入り位置から、偏心して解錠軸に設けられている突き棒により釈放される。背もたれの部分的な前方揺動後、突き棒はまず不動作位置をとり、解錠レバーの戻し及び再度の操作後に初めて、この不動作位置から突き棒が動作位置へ移行せしめられ、この動作位置で鎖錠かぎを釈放するので、背もたれを更に前方へ荷積み位置へ揺動させることができる。【００１０】  案内ローラの代わりに、原理的には背もたれ側案内面も設けることができ、この案内面上を突き棒が滑る。解錠レバーは、原理的には、例えば背もたれの上部範囲に設けられハンドルによっても、例えばボーデンケーブルを介して操作することができる。【００１１】  添付図面により、本発明の実施例が説明される。
【発明を実施するための最良の形態】
【００１２】  車両座席１は、座枠２と、この座枠２に背もたれ軸線Ａにおいて枢着される背もたれ枠３とを持ち、ここには図示してない公知の係止装置４により、背もたれ枠３が揺動位置で座枠２に鎖錠可能である。係止装置４を釈放するため、座枠の外側即ち図７において左側に、解錠レバー５が設けられ、背もたれ揺動軸線Ａにあって座枠２及び背もたれ枠３を通って延びる解錠軸６上にはまっている。係止装置４のここには図示してないばねは、解錠レバー５を、図１及び３の操作されない位置で、下方へ鎖錠位置へ引張っている。解錠レバー５の上方揺動の際、例えば係止装置４にある係止ブロック又は係止片が動かされて、背もたれ枠３が解錠されるか又は釈放され、快適範囲内で移動可能になっている。このため背もたれ枠３は、前方へ予荷重をかけられ、例えば利用者の背中で支えることにより調節可能である。【００１３】  座席内側で解錠軸６上に目板７が溶接され、図１及び３の鎖錠位置で、解錠レバー５の下降の際、目板７が解錠軸６から後方へ突出している。目板７には、背もたれ揺動軸線Ａに対して偏心して結合管８が取付けられ、従って解錠レバー５の操作の際揺動せしめられる結合管８は、車両座席１の図示した左側及び図示しない右側にある両方の係止装置４の連結に役立つので、解錠レバー５の操作又は上方揺動の際、右側の係止装置も釈放される。結合管８上には更に突き棒９が、揺動軸線Ｂの周りに揺動可能に支持され、結合管８の周りに設けられるばね１０により、後方へ即ち図１〜５において時計方向へ、予荷重をかけられている。背もたれ枠３の内側で背もたれ揺動軸線Ａより下に、制御カム１２が、例えば背もたれ枠３にねじ止めされるか又は錠止めされる部材により、形成されている。制御カム１２は、ほぼ凸の後部カム範囲１２ａと、走行方向においてその前にある容易立入りストッパ１２ｂとを持っている。更に背もたれ枠３に、例えば制御カム１２の部材に、背もたれに固定した案内手段としての案内ローラ１４が取付けられて、座席内側へ軸線方向に突出している。突き棒９は、図１の基本位置で前下方へ延び、その後縁９ａで案内ローラ１４に当接しているので、解釈レバー５の揺動の際、突き棒９の後縁９ａが、背もたれに固定した案内ローラ１４上を転がる。【００１４】  更に鎖錠かぎ１６が、背もたれ枠３により下にある保持軸線Ｃにおいて、座枠２に揺動可能に枢着され、その揺動角は、座枠２にある制御窓２０により制限され、この制御窓２０を通って軸線方向に、鎖錠かぎ１６のレバー１６ａが軸線方向に延びている。鎖錠かぎ１６は、座枠２に係留されるばね２２により、上方へ即ち図１〜５において時計方向へ予荷重をかけられ、そのかぎ突起１６ｂを制御カム１２へ押付けられる。【００１５】  部材６〜２２は容易出入り制御機構２４を形成し、この制御機構２４が、図１の使用位置から図３の容易出入り位置へ、続いて図５の荷積み位置への車両座席１の移動を、ただ１つのハンドル即ち解錠レバー５により可能にし、この解錠レバー５は係止装置４の釈放にも役立つ。この移動が以下に説明される。【００１６】  解錠レバー５が操作されるか又は上方揺動され、解錠される背もたれ３が図２の容易出入り位置へ部分的に前方揺動されること��よって、容易出入り位置への移動が行われる。この揺動運動の際、鎖錠かぎ１６のかぎ突起１６ｂが制御カム１２上を滑り、快適範囲内の最初の揺動過程中に、鎖錠かぎ１６が制御カム１２の後部の凸のカム範囲１２ａになお当接し、引続く前方揺動の際、制御カム１２の容易出入りストッパ１２ｂへ達し、このストッパ１２ｂへばね予荷重を受けて鎖錠かぎ１６が係合し、従って背もたれ枠３のそれ以上の前方揺動をさし当り阻止する。背もたれ枠３のこの前方揺動運動の際、ばねの予荷重を受ける突き棒９が、ばね１０を緩めながら、まず後方へ揺動し、この場合案内ローラ１４上を転がる。しかし背もたれ枠３の揺動運動の引続く経過において、突き棒９の後縁９ａが、上方へ揺動する鎖錠かぎ１６の軸線方向内方へ突出する突起１６ｃへ達し、この突起１６ｃ上で滑るので、突き棒９は案内ローラ１４と接触しなくなる。【００１７】  図２の容易出入り位置へ達する際、解錠レバー５が再び釈放されると、係止装置４内のばねの戻し力により解錠レバー５が下方へ図３の位置へ引張られるので、背もたれ枠３が容易出入り位置に鎖錠される。下方へ揺動する解錠レバー５により、更に引続いて、目板７が結合管８及びこの結合管上に支持される突き棒９と共に上方へ揺動される。突き棒９の後縁９ａが、背もたれに固定した案内ローラ１４に当接し、その下縁９ｂが今や突起１６ｃより上に位置している。【００１８】  利用者が更に荷積み位置への移動を望む場合、利用者は再び解錠レバー５を操作するので、図４に従って、目板７が結合管８及び突き棒９と共に下方へ揺動される。この場合突き棒９の下縁９ｂが鎖錠かぎ１６の突起１６ｃを押し、鎖錠かぎ１６をそのばね荷重に抗して下方へ揺動させるので、そのかぎ突起１６ｂが、背もたれに固定した制御カム１２の容易出入りストッパ１２ｂとの係合を解除され、それにより背もたれ枠３を釈放する。【００１９】  従って図２及び４は、解錠レバー５の及び背もたれ枠３の同じ揺動角で、容易出入り機構２４の異なる状態を示し、突き棒９は図２では不動作位置にあり、図４では動作位置にあって、鎖錠かぎ１６を釈放している。【００２０】  利用者は、解錠された背もたれ枠３を今や続いて前方へ図５の荷積み位置へ前方揺動させるか、又はばね予荷重により背もたれ枠３の自動前方揺動を許すことができる。この場合時計方向に予荷重をかけられる突き棒９は、下縁９ｂの横で更に下方へ延びる下部当接範囲９ｃにより、鎖錠かぎ１６の突起１６ｃの所に保持され、鎖錠かぎ１６のレバー１６ａが、そのばね予荷重により、終端位置としての制御窓２０の下縁に達する。【００２１】  利用者がまず解錠レバー５を操作し、これにより係止装置４を釈放することにより、図５の荷積み位置から図１の使用位置への戻しが行われる。この場合再び突き棒９が下方へ揺動されるが、これはそれ以上の機能的効果を持たない。続いて行われる背もたれ枠３の戻し揺動の際、鎖錠かぎ１６が再び制御カム１２に沿って滑り、はね返るが、これも同様にそれ以上の効果を持たない。なぜならば、鎖錠かぎ１６は制御カム１２の形状のため、この揺動範囲では制御カム１２に係合しないからである。従って背もたれ枠３を持つ背もたれは、完全に上方へ図１の基本位置又���使用位置へ戻し揺動されることができる。
【図面の簡単な説明】
【００２２】
【図１】  座枠への背もたれの左側結合範囲の側面図を背もたれの鎖錠された基本位置で示す。
【図２】  解錠されて容易出入り位置へ前方揺動された背もたれを示す。
【図３】  係止装置の鎖錠後解錠レバーの釈放による容易出入り位置を示す。
【図４】  続いて解錠レバーの操作による容易出入り位置の解錠を示す。
【図５】  背もたれの続く前方揺動及び解錠レバーの釈放により得られる荷積み位置を示す。
【図６】  図１の鎖錠された基本位置を内後方からの斜視図で示す。
【図７】  鎖錠された基本位置の背面図を示す。
【符号の説明】
【００２３】１            車両座席
２            座枠
３            背もたれ枠
４            係止装置
５            解錠レバー
６            解錠軸
９            突き棒
１２          制御カム
１２ｂ        容易出入りストッパ
１６          鎖錠かぎ
【図１】
2006142014.tif 000003
【図２】
2006142014.tif 000004
【図３】
2006142014.tif 000005
【図４】
2006142014.tif 000006
【図５】
2006142014.tif 000007
【図６】
2006142014.tif 000008
【図７】
2006142014.tif 000009